(57)【要約】【課題】キャリーケースの中を仕切って本体収納部とは別にプレミアム収納部を設けた収納部付きキャリーケースを提供すること。【解決手段】板紙等の厚紙で形成される角筒状の把手付きキャリーケースであって、キャリーケース本体（２）の収納部（３）に仕切り板（４）が挿入され、収納部が仕切り板を介して内容物収納部（５）とプレミアム収納部（６）とに二分される。内容物収納部（５）は天面が密閉され、プレミアム収納部（６）は天面が開放されている。【選択図】図１
2007099333.tif 000002
【特許請求の範囲】
【請求項１】
キャリーケース本体の収納部に仕切り板が挿入されて、該収納部が前記仕切り板を介して内容物収納部とプレミアム収納部とに二分されることを特徴とする、収納部付きキャリーケース。
【請求項２】
前記内容物収納部は天面が密閉され、前記プレミアム収納部は天面が開放されていることを特徴とする、請求項１記載の収納部付きキャリーケース。
【請求項３】
板紙等の厚紙で形成される角筒状の把手付きキャリーケースであって、
妻面板および側面板が交互に設けられてパネル部を構成すると共に、前記一対の妻面板の上端縁の大部には天蓋を構成する天面板と把手片がそれぞれ折り曲げ線を介して順次連設され、
前記一対の側面板の一方の側面板は、天面板に隣接し、かつ、上部両端縁より上方に側面遮蔽板を折り曲げ線を介して突出させて形成し、かつ、前記側面遮蔽板の先端近傍には把手片を係止させるための係止スリットが設けられ、
もう一方の側面板は、妻面板の天面板を有しない部分に隣接してなり、
前記一対の妻面板の下端縁には、折り曲げ線を介して底蓋を構成する底面板が連設され、
前記一対の側面板の下端縁には、折り曲げ線を介して底蓋を構成する第２底面板が連設された構成からなるキャリーケース本体と、
前記キャリーケース本体に形成される側面板と同形の先端近傍に把手片を係止させる係止スリットが設けられた仕切り側面板の下端縁に折り曲げ線を介して連設された底面補強板と、前記第２側面板の中央より下部の両端縁に折り曲げ線を介して連設された支持片とから構成される仕切り板と、からなり、  
前記仕切り板の底面補強板と支持片を、底面補強板が天面板の下に配置されるように互いに反対方向に折り曲げ、該仕切り板をキャリーケース本体の収納部に、仕切り板の側面板とキャリーケース本体の側面板とが互いに向き合うように挿入して、キャリーケース本体の収納部を天蓋で覆われる内容物収納部と、天部が開放されたプレミアム収納部とに二分され、
一対の天面板を折り曲げ、互いの把手片を対向させて密着させ、両端を二つの側面板に設けられた係止スリットに挿入して係止させたことを特徴とする収納部付きキャリーケース。
【請求項４】
前記仕切り板の底面補強板は、仕切り板をキャリーケース本体の収納部に挿入したとき、側面板に接する位置に達する長さであることを特徴とする、請求項３記載の収納部付きキャリーケース。
【請求項５】
前記仕切り板の一対の支持片は、仕切り板をキャリーケース本体の収納部に挿入したとき、もう一方の側面板に接する位置に達する長さであることを特徴とする、請求項３又は４記載の収納部付きキャリーケース。
【請求項６】
前記キャリーケース本体の一対の把手片の天面板寄りに、指掛け孔が設けられていることを特徴とする、請求項３、４又は５記載の収納部付きキャリーケース。
【請求項７】
前記キャリーケース本体の底面は、ワンタッチ底で構成されていることを特徴とする、請求項３、４、５又は６記載の収納部付きキャリーケース。
【発明の詳細な説明】
【技術分野】
【０００１】
本発明は、キャンペーン等の実施に際して、配布されるプレミアム（景品）を収納する収納部を設けた持ちかえり用のキャリーケース（紙箱）に関するものである。
【背景技術】
【０００２】
従来、ケーキ等の菓子類を店頭で購入すると、商品を図５に示すような簡単に組立が可能で、持ち運びが可能な把手付きのキャリーケース（３００）に収納し包装してくれる場合が多い。
【０００３】
そして、キャンペーン等により景品を提供する際には、商品のみを収納した持ちかえり用のキャリーケース（紙箱）と、別途個包装された景品もしくは景品自体を別々に手渡している場合がほとんどであった。
【０００４】
さらに場合によっては、商品を収納した持ちかえり用のキャリーケース（紙箱）と、景品とを一緒に収容するための包装袋を提供している場合もあった。
【０００５】
従って、商品と景品を持ちかえるにあたって、包装資材が余分にかかるという問題があった。
【発明の開示】
【発明が解決しようとする課題】
【０００６】
本発明は、キャンペーン等の実施に際して、配布されるプレミアム（景品）をキャリーケースと一緒に持ちかえる際の以上のような問題に鑑みてなされたもので、キャリーケースの中を仕切って、本体収納部とは別にプレミアム（景品）を収納するプレミアム収納部を設けた収納部付きのキャリーケースを提供することを課題とする。
【課題を解決するための手段】
【０００７】
本発明の請求項１の発明は、キャリーケースの収納部に仕切り板が挿入され、該収納部が前記仕切り板を介して内容物収納部とプレミアム収納部とに二分されることを特徴とする、収納部付きキャリーケースである。
【０００８】
このように請求項１記載の発明によれば、キャリーケースの収納部に仕切り板が挿入され、該収納部が前記仕切り板を介して内容物収納部とプレミアム収納部とに二分されるので、ケーキ等の商品を内容物収納部に収納し、景品をプレミアム収納部に収納することにより、ケーキ等の商品と景品を同時に一つのキャリーケースに収納することができる。
【０００９】
また、請求項２の発明は、請求項１の発明において、前記内容物収納部は天面が密閉され、前記プレミアム収納部は天面が開放されていることを特徴とする、収納部付きキャリーケースである。
【００１０】
このように請求項２記載の発明によれば、内容物収納部は天面が密閉され、プレミアム収納部は天面が開放されているので、内容物収納部には異物等が容易に入り込まないし、景品等は蓋を開けなくともプレミアム収納部に容易に収納するとができる。
【００１１】
また、請求項３の発明は、板紙等の厚紙で形成される角筒状の把手付きキャリーケースであって、妻面板および側面板が交互に設けられてパネル部を形成すると共に、前記一対の妻面板の上端縁部の大部には天蓋を構成する天面板と
把手片がそれぞれ折り曲げ線を介して順次連設され、前記一対の側面板の一方の側面板は、天面板に隣接し、かつ、上部両端縁より上方に側面遮蔽板を折り曲げ線を介して突出させて形成し、かつ、前記側面遮蔽板の先端近傍には把手片を係止させるための係止スリットが設けられ、もう一方の側面板は、妻面板の天面板を有しない部分に隣接してなり、前記一対の妻面板の下端縁には、折り曲げ線を介して底蓋を構成する底面板が連設され、前記一対の側面板の下端縁には、折り曲げ線を介して底蓋を構成する第２底面板が連設され、た構成からなるキャリーケース本体と、
前記キャリーケース本体に形成される側面板と同形の先端近傍に把手片を係止させる係止スリットが設けられた仕切り側面板の下端縁に折り曲げ線を介して連設された底面補強板と、前記第２側面板の中央より下部の両端縁に折り曲げ線を介して連設された支持片とから構成される仕切り板と、からなり、
前記仕切り板の底面補強板と支持片を、底面補強板が天面板の下に配置されるように互いに反対方向に折り曲げ、該仕切り板をキャリーケース本体の収納部に、仕切り板の側面板とキャリーケース本体の側面板とが互いに向き合うように挿入して、キャリーケース本体の収納部を天蓋で覆われる内部収納部と、天部が開放されたプレミアム収納部とに二分され、
一対の天面板を折り曲げ、互いの把手片を対向させて密着させ、両端を二つの側面板に設けられた係止スリットに挿入して係止させたことを特徴とする、収納部付きキャリーケースである。
【００１２】
このように請求項３記載の発明によれば、妻面板および側面板が交互に設けられてパネル部を形成すると共に、前記一対の妻面板の上端縁部の大部には天蓋を構成する天面板と把手片がそれぞれ折り曲げ線を介して順次連設され、前記一対の側面板の一方の側面板は、天面板に隣接し、かつ、上部両端縁より上方に側面遮蔽板を折り曲げ線を介して突出させて形成し、かつ、前記側面遮蔽板の先端近傍には把手片を係止させるための係止スリットが設けられ、もう一方の側面板は、妻面板の天面板を有しない部分に隣接してなり、前記一対の妻面板の下端縁には、折り曲げ線を介して底蓋を構成する底面板が連設され、前記一対の側面板の下端縁には、折り曲げ線を介して底蓋を構成する第２底面板が連設され、た構成からなるキャリーケース本体と、前記キャリーケース本体に形成される側面板と同形の先端近傍に把手片を係止させる係止スリットが設けられた仕切り側面板の下端縁に折り曲げ線を介して連設された底面補強板と、前記第２側面板の中央より下部の両端縁に折り曲げ線を介して連設された支持片とから構成される仕切り板と、からなり、前記仕切り板の底面補強板と支持片を、底面補強板が天面板の下に配置されるように互いに反対方向に折り曲げ、該仕切り板をキャリーケース本体の収納部に、仕切り板の側面板とキャリーケース本体の側面板とが互いに向き合うように挿入して、キャリーケース本体の収納部を天蓋で覆われる内部収納部と、天部が開放されたプレミアム収納部とに二分され、一対の天面板を折り曲げ、互いの把手片を対向させて密着させ、両端を二つの側面板に設けられた係止スリットに挿入して係止させているので、把手付きのキャリアケースに二つの収納部を設けることができ、一つは天蓋のある内容物収納部とすることができ、もう一つは天面が開放されたプレミアム収納部とすることができる。
【００１３】
また、請求項４の発明は、請求項３の発明において、前記仕切り板の底面補強板は、仕切り板をキャリーケース本体の収納部に挿入したとき、側面板に接する位置に達する長さであることを特徴とする、収納部付きキャリーケースである。
【００１４】
このように、請求項４の発明によれば、前記仕切り板の底面補強板は、仕切り板をキャリーケース本体の収納部に挿入したとき、側面板に接する位置に達する長さであるので、仕切り板はキャリーケース本体の側面板で固定される。
【００１５】
また、請求項５の発明は、請求項３又は４の発明において、前記仕切り板の一対の支持
片は、仕切り板をキャリーケース本体の収納部に挿入したとき、もう一方の側面板に接する位置に達する長さであることを特徴とする、収納部付きキャリーケースである。
【００１６】
このように、請求項５の発明によれば、仕切り板の一対の支持片は、仕切り板をキャリーケース本体の収納部に挿入したとき、もう一方の側面板に接する位置に達する長さであるので、仕切り板はキャリーケース本体の側面板で固定され仕切り板が倒れたりすることがない。
【００１７】
また、請求項６の発明は、請求項３、４又は５の発明において、前記キャリーケース本体の一対の把手片の天面板寄りに、指掛け孔が設けられていることを特徴とする、収納部付きキャリーケースである。
【００１８】
このように、請求項６の発明によれば、キャリーケース本体の一対の把手片の天面板寄りに指掛け孔が設けられているので、キャリーケースを持ち運びする際に便利である。
【００１９】
また、請求項７の発明は、請求項３、４、５又は６の発明において、前記キャリーケース本体の底面は、ワンタッチ底で構成されていることを特徴とする、収納部付きキャリーケースである。
【００２０】
このように、請求項７の発明によれば、キャリーケース本体の底面はワンタッチ底で構成されているので、簡単にキャリーケースを組み立てることができる。
【発明の効果】
【００２１】
このように本発明の収納部付きキャリーケースは、商品を持ち帰るにあたっての包装資材コストを削減することができる。特にベタ付け（総付け）景品を提供する際、店頭において本件キャリーケースに商品と景品を収納して陳列展示しておくことで、商品アピール性を高めることができ、アイキャッチ効果も含めた衝動買いなどの顧客誘引を促進することもできる。
さらに簡単な組立て作業によりキャリーケースを作製することができる。
【発明を実施するための最良の形態】
【００２２】
本発明を一実施形態に基づいて以下に詳細に説明する。
本発明の収納部付きキャリーケース（１）は、例えば、図１、図２に示すように、キャリーケース本体（２）の収納部（３）に仕切り板（４）が挿入され、該収納部が前記仕切り板を介して内容物収納部（５）とプレミアム収納部（６）とに二分されることを特徴とする。
また、内容物収納部（５）は天面が密閉され、プレミアム収納部（６）は天面が開放されていることを特徴とする。
そして、一般的には板紙等の厚紙で形成される角筒状で把手付きのケースである。
【００２３】
さらに図１〜図４に基づいて詳細に説明する。
本発明の収納部付きキャリーケース（１）は、キャリーケース本体（２）とキャリーケース本体の収納部（３）に挿入される仕切り板（４）とから構成される。
【００２４】
先ず、キャリーケース本体（２）について述べる。
妻面板（１１、１３）および側面板（１２、１４）が交互に設けられてパネル部を形成すると共に、前記一対の妻面板（１１、１３）の上端縁部の大部には天蓋を構成する天面板（１１１、１３１）と把手片（１１２、１３２）がそれぞれ折り曲げ線を介して順次連設されている。
【００２５】
一対の把手片（１１２、１３２）の天面板寄りにそれぞれ指掛け孔（１１３、１３３）を設けておくことにより、キャリーケースの持ち運びが楽に行えるようになる。
【００２６】
一対の側面板の一方の側面板（１４）は、天面板（１１１、１３１）に隣接している。そして、上部両端縁より上方に略三角形状の側面遮蔽板（１４１）を折り曲げ線を介して突出させて、側面板（１４）と合わせて略五角形状側面板（１６）として形成されている。
【００２７】
側面遮蔽板（１６）の先端近傍には把手片（１１２、１３２）を係止させるための係止スリット（１４２）が設けられている。
【００２８】
略五角形状側面板（１６）の側面板（１４）と側面遮蔽板（１４１）の境界に設けられる折り曲げ線は無くても構わない。
【００２９】
もう一方の側面板（１２）は、妻面板（１１、１３）の天面板を有しない部分（１１４、１３４）に隣接してなり、前記一対の妻面板（１１、１３）の下端縁には、折り曲げ線を介して底蓋を構成する底面板（１１５、１３５）が連設されている。一対の底面板（１１５、１３５）の側面板（１２、１４）寄りには、斜め方向の折り曲げ線（ａ）により略三角形状の接着片（１１６、１３６）が区画形成されている。
【００３０】
一対の側面板（１２、１４）の下端縁には、折り曲げ線を介して底蓋を構成する第２底面板（１２３、１４３）が連設されている。
【００３１】
キャリーケース本体（２）はこのような構成からなっている。なお、図３のキャリーケース本体ブランク（１０）の展開図において１５は側面板（１４）の裏面に接着する糊代片を示している。
【００３２】
つぎに、仕切り板（４）について述べる。
仕切り板（４）は、キャリーケース本体（２）に形成された側面板（１４）と三角形状遮蔽板（１４１）とからなる略五角形状側面板（１６）と同形の、略五角形状仕切り側面板（２１）の下端縁に折り曲げ線を介して連設された底面補強板（２２）と、前記第２略五角形状側面板の中央より下部の両端縁に折り曲げ線を介して連設された支持片（２３、２３）とから構成される。
【００３３】
略五角形状仕切り側面板（２１）の先端近傍には、略五角形状側面板（１６）と同様に把手片（１１２、１３２）を係止させるための係止スリット（２１１）が設けられている。
【００３４】
また、底面補強板（２２）は、仕切り板（４）をキャリーケース本体（２）の収納部に挿入したとき、略五角形状側面板（１６）に接する位置に達する長さとすることが良い。こうすることにより、仕切り板をキャリーケース本体の収納部に挿入して収納部付きキャリーケースに組み立て、運搬等の実用に供した時、仕切り板がずれたりすることがない。
【００３５】
さらに、一対の支持片（２３、２３）は、仕切り板（４）をキャリーケース本体（２）の収納部に挿入したとき、もう一方の側面板（１２）に接する位置に達する長さとすることが良い。こうすることにより、仕切り板をキャリーケース本体の収納部に挿入して収納部付きキャリーケースに組み立て、運搬等の実用に供した時、仕切り板がずれたりすることがない。
【００３６】
最後に、収納部付きキャリーケースへの組立て方の一例を述べる。
キャリーケース本体ブランク（１０）の、底面板（１１５、１３５）、第２底面板（１２３、１４３）を横方向の折り曲げ線に沿って折り曲げると共に、接着片（１１６）を谷折りしながら妻面板（１１）を折り曲げ、ついで、接着片（１３６）を谷折りしながら側面板（１４）を折り曲げ、第２底面板（１２３）の表面と接着片（１１６）の裏面、第２底面板（１４３）の表面と接着片（１３６）の裏面、糊代片（１５）の表面と側面板（１４）の裏面をそれぞれ貼着して、ブランクを折り畳み、底貼り（ワンタッチ底）を完成させる。
ワンタッチ底を形成させることにより、キャリーケースの組立てが何処でも場所を選ばず簡単に素早くできるという利点がある。
【００３７】
別に仕切り板ブランク（２０）の、底面補強板（２２）と支持片（２３、２３）を、底面補強板（２２）がキャリーケース本体（２）の天面板（１１１、１３１）の下に配置されるように互いに反対方向に折り曲げ線に沿って折り曲げておく。
【００３８】
底貼り（ワンタッチ底）を完成させたキャリーケース本体を起こして、収納部（３）を形成させ、底面補強板（２２）と支持片（２３、２３）を折り曲げた仕切り板（２０）をキャリーケース本体の収納部（３）に、仕切り板の略五角形状仕切り側面板（２１）とキャリーケース本体の略五角形状側面板（１６）とが互いに向き合うように挿入する。
【００３９】
すると、キャリーケース本体の収納部（３）は、天蓋で覆われる内部収納部（５）と、天部が開放されたプレミアム収納部（６）とに二分される。
【００４０】
必要に応じて内部収納部（５）に商品である内容物を収納した後、一対の天面板（１１１、１３１）を折り曲げ、互いの把手片（１１２、１３２）を対向させて密着させ、両端を略五角形状側面板（１６）と略五角形状仕切り側面板（２１）に設けられた係止スリット（１４２、２１１）に挿入して係止させる。
これにより収納部付きキャリーケース（１）が組立てられた。
【図面の簡単な説明】
【００４１】
【図１】本発明の収納部付きキャリーケースの一実施例を示す、斜視説明図である。
【図２】本発明の収納部付きキャリーケースの作製手順の一実施例を示す、斜視説明図である。
【図３】本発明の収納部付きキャリーケースに使用するキャリケース本体のブランクの一実施例を示す、平面説明図である。
【図４】本発明の収納部付きキャリーケースに使用する仕切り板のブランクの一実施例を示す、平面説明図である。
【図５】従来のキャリーケースの一実施例を示す、斜視説明図である。
【符号の説明】
【００４２】
１‥‥収納部付きキャリーケース
２‥‥キャリーケース本体
３‥‥収納部
４‥‥仕切り板
５‥‥内容物収納部
６‥‥プレミアム収納部
１０‥‥キャリーケース本体ブランク
１１‥‥妻面板
１２‥‥側面板
１３‥‥妻面板
１４‥‥側面板
１５‥‥糊代片
１６‥‥略五角形状側面板
２０‥‥仕切り板ブランク
２１‥‥略五角形状仕切り側面板
２２‥‥底面補強板
２３‥‥支持片
１１１‥‥天面板
１１２‥‥把手片
１１３‥‥指掛け孔
１１４‥‥妻面板の天面板を有しない部分
１１５‥‥底面板
１１６‥‥接着片
１２３‥‥第２底面板
１３１‥‥天面板
１３２‥‥把手片
１３３‥‥指掛け孔
１３４‥‥妻面板の天面板を有しない部分
１３５‥‥底面板
１３６‥‥接着片
１４１‥‥三角形状側面遮蔽板
１４２‥‥係止スリット
１４３‥‥第２底面板
２１１‥‥係止スリット
３００‥‥キャリーケース
ａ‥‥斜め方向の折り曲げ線
【図１】
2007099333.tif 000003
【図２】
2007099333.tif 000004
【図３】
2007099333.tif 000005
【図４】
2007099333.tif 000006
【図５】
2007099333.tif 000007